(57)【要約】      （修正有）【課題】夏期の強い日射と内部に保存している機器の発熱による収納ボックス内部の高温化を防ぎ、人目につきにくい場所に設置しても夜間の停電時に収納ボックスを見つけやすく、かつ扉を間違いなく１回で開けることができ、緊急時に即座に災害時用機器の取り出しが可能な構成の災害時用機器収納ボックスを提供する。【解決手段】災害時用機器を収納する縦長のボックス本体１を有する災害時用機器収納ボックスであって、ボックス本体１の正面開口部に縦長の扉４と、ボックス本体１の背面壁体の上段と下段に空気穴と、ボックス本体１に設置される災害時用機器を支持する可変式の支持部材と棚と、ボックス本体１ならびに扉４に収納する機器を表示する表示部５と、が設けられている。【選択図】図１
0003230365.tif 000002
【実用新案登録請求の範囲】
【請求項１】
災害時用機器を収納する縦長のボックス本体１を有する災害時用機器収納ボックスであって、
前記ボックス本体１の正面開口部に縦長の扉４と、
前記ボックス本体１の背面壁体の上段と下段に空気穴９、１０と、
前記ボックス本体１に設置される災害時用機器を支持する可変式の支持部材７と棚８と、
前記ボックス本体１ならびに前記扉４に収納する機器を表示する表示部５と、
が設けられたことを特徴とする災害時用機器収納ボックス。
【請求項２】
停電時に前記扉４が自動開錠する錠と、自動点灯する内部のライトとを有する請求項１に記載の災害時用機器収納ボックス。 
【請求項３】
前記ボックス本体１内部を外部から目視できる透明な窓６が前記扉４の下部に設けられており、
停電時に前記内部のライトが自動点灯したときに前記透明な窓６から照射される明かりが足元を照らし、誘導灯の役目を果たす請求項１または２に記載の災害時用機器収納ボックス。
【請求項４】
前記空気穴９、１０が、日射による熱や内部に保管する機器から発生する熱で高温になった前記ボックス本体１内部を、前記ボックス本体１の背面壁体の下段に設けた前記空気穴９から冷たい空気を吸い込み、上段に設けた前記空気穴１０から熱せられた空気を外部に放出させることで冷却するのに適した寸法を有する前記空気穴９、１０である請求項１〜３のいずれか一項に記載の災害時用機器収納ボックス。 
【請求項５】
前記扉４を開けると警報音を発することで盗難防止となる警報音装置を有する請求項１〜４のいずれか一項に記載の災害時用機器収納ボックス。 
【請求項６】
自立式となる転倒防止型の、スタンド部１１を下部に備える請求項１〜５のいずれか一項に記載の災害時用機器収納ボックス。
【考案の詳細な説明】
【技術分野】
【０００１】
本考案は、災害時用機器収納ボックスに関し、特には、災害時に有用な機器を収納する災害時用機器収納ボックスに関する。
【背景技術】
【０００２】
いつ大地震が起きても不思議でない日本では、地震発生率の予想、そのときの死亡者数、津波の高さなどを予測し、ライフラインの途絶による交通機関の通行不能状況、水や食料の備蓄量の予測を行っている。
【０００３】
地震などの災害時には大規模な停電が発生し、回復が大幅に遅れることが多い。停電の回復が大幅に遅れるとテレビやラジオ、電話など一切の通信機器や電気機器が使用不能になり、病院などの医療機関や、ホテル、学校、公共施設、大規模企業施設など、多くの人を収容する施設で大きな不安を人々に与えてしまう。
【０００４】
そこで、医療機関、公共施設、マンションやビル等の多くの人々が集まる施設では、災害時の停電に備えて、蓄電池をはじめとする停電時に必要な機器を常備している。これらの機器は、外部から見て何が入っているかかがわかりやすく、かつ使いやすい収納ボックスに入れて、廊下等の人目につきやすく且つ邪魔にならない箇所に設置するのが最適である。災害時用機器収納ボックスや、それに類するＡＥＤ収納ボックスおよび荷物収納ボックスとして種々のものが提案されている。（例えば、特許文献１〜６）
【先行技術文献】
【特許文献】
【０００５】
【特許文献１】実用新案登録第３２２２５４０号
【特許文献２】実用新案登録第３２１８１３４号
【特許文献３】実用新案登録第３１６０４７８号
【特許文献４】特許第５２６３９６２号公報
【特許文献５】特開２０２０−７０９５９号公報
【特許文献６】特開２０１９−９２９９６号公報
【考案の概要】
【考案が解決しようとする課題】
【０００６】
前述のように、災害時用機器は、外部から見て何が入っているかかがわかりやすく、かつ使いやすい収納ボックスに入れて、廊下等の人目につきやすく且つ邪魔にならない箇所に設置するのが最適であるが、人目につきやすい窓際に設置すると夏期の強い日射と内部に保存している機器の発熱により収納ボックス内部が高温となり、機器などの誤作動や故障の原因となり、いざというときに使えないことが起こる。
【０００７】
そして、盗難、いたずら、通行の邪魔になる等の関係で人目につきにくい場所に設置して周囲への告知が十分されていないと、いざというときに収納ボックスの場所が分からなかったり、夜間の停電時に収納ボックスを見つけることが難しくなり誰も使うことが出来なくなったりする場合が起こる。
【０００８】
また、収納ボックスの前面の扉が上段と下段の２箇所に設置されていると、夜間の停電時に開ける扉を間違いやすく、必要な機器を見つけるのに時間がかかってしまう。
【０００９】
そこで本考案の目的は、夏期の強い日射と内部に保存している機器の発熱による収納ボックス内部の高温化を防ぎ、人目につきにくい場所に設置しても夜間の停電時に収納ボックスを見つけやすく、かつ扉を間違いなく１回で開けることができ、緊急時に即座に災害時用機器の取り出しが可能な構成の災害時用機器収納ボックスを提供しようとするものである。
【課題を解決するための手段】
【００１０】
本考案の災害時用機器収納ボックスは、災害時用機器を収納する縦長のボックス本体１を有する災害時用機器収納ボックスであって、前記ボックス本体１の正面開口部に縦長の扉４と、前記ボックス本体１の背面壁体の上段と下段に空気穴９、１０と、前記ボックス本体内１に設置される災害時用機器を支持する可変式の支持部材７と棚８と、前記ボックス本体１ならびに前記扉４に収納する機器を表示する表示部５と、が設けられたことを特徴とする。
【００１１】
また、本考案の災害時用機器収納ボックスは、停電時に前記扉４が自動開錠する錠と、自動点灯する内部のライトとを有することが好ましい。
【００１２】
また、本考案の災害時用機器収納ボックスは、前記ボックス本体１内部を外部から目視できる透明な窓６が前記扉４の下部に設けられており、停電時に前記内部のライトが自動点灯したときに前記透明な窓６から照射される明かりが足元を照らし、誘導灯の役目を果たすことが好ましい。
【００１３】
また、本考案の災害時用機器収納ボックスは、前記空気穴９、１０が、日射による熱や内部に保管する機器から発生する熱で高温になった前記ボックス本体１内部を、前記ボックス本体１の背面壁体の下段に設けた前記空気穴９から冷たい空気を吸い込み、上段に設けた前記空気穴１０から熱せられた空気を外部に放出させることで冷却するのに適した寸法を有する前記空気穴９、１０であることが好ましい。
【００１４】
また、本考案の災害時用機器収納ボックスは、前記扉４を開けると警報音を発することで盗難防止となる警報音装置を有することが好ましい。
【００１５】
そして、さらにまた、本考案の災害時用機器収納ボックスは、自立式となる転倒防止型の、スタンド部１１を下部に備えることが好ましい。
【考案の効果】
【００１６】
本考案によれば、夏期の強い日射と内部に保存している機器の発熱による収納ボックス内部の高温化を防ぎ、人目につきにくい場所に設置しても夜間の停電時に収納ボックスを見つけやすく、かつ扉を間違いなく１回で開けることができ、緊急時に即座に災害時用機器の取り出しが可能な構成の災害時用機器収納ボックスを得ることができる。
【図面の簡単な説明】
【００１７】
【図１】本考案の実施の一形態に係る災害時用機器収納ボックスの斜視図である。
【図２】図１の災害時用機器収納ボックスの開扉状態の正面図である。
【図３】災害時用機器の様々な機器を示す図である。
【図４】図１の災害時用機器収納ボックス開放時の箱本体の正面図（一部拡大図）である。
【考案を実施するための形態】
【００１８】
以下、添付図面を参照して、本考案の実施の形態について説明する。
図１及び図２に示すように、本考案の実施の一形態に係る災害時用機器収納ボックスのボックス本体１は、収納スペース３を有する箱本体２と、この箱本体２に取り付けられた正面の扉４と、収納スペース３内の大きさを、棚８を上下に移動させて災害時用機器Ｍａの大きさに合わせた空間スペースを自在に分割できる可変式の支持部材７と、ボックス本体１の正面および左右側面の人目に付きやすい位置に設けられた表示部５とを備える。
【００１９】
図１及び図２の災害時用機器収納ボックスのボックス本体１は縦長であるので、邪魔にならなければ建物の廊下やエントランスホール等に設置することもできる。また、邪魔になる場合には隅の狭い場所にも設置できる。ボックス本体１が縦長であると地震の際に倒れやすくなるので、箱本体２の底部に固定したスタンド部１１を取り付けることで安定的に立たせておくことができる。
【００２０】
図１及び図２に示すように、正面の取っ手付きの扉４は一か所で、縦端面部に蝶番で箱本体２に取り付けられている。また、収納スペース３は、例えば、上中下三段に分割してもよい。
【００２１】
本実施の形態では、正面の扉４および左右側面の人の目に付きやすい位置に表示部５を設け常備している機器をピクトグラムで表示し分かりやすくしている。
【００２２】
本実施の形態では、収納スペース３内を外部から目視できる透明な窓６が設けられる。具体的には、収納スペース３内を外部から目視できる透明な窓６が縦長の扉４の下部に設けられている。停電時に内部のライトが自動点灯すると下部にある透明な窓６から照射される明かりで足元も明るくなり、誘導灯の役目も果たすのでボックス本体１まで簡単にたどり着くことができ、必要な機器をいち早く取り出し使うことができる。
【００２３】
図４に示すように、本実施の形態では、収納スペース３を冷却するために、ボックス本体１の背面壁体の下段と上段に空気穴９、１０が設けられている。
【００２４】
本実施の形態では、正面の扉４が開いたことを検知してアラーム音を発する。正面の扉４を開けると警報音が鳴ることを表示部５のピクトグラムで表示しておくと、非常時以外に悪戯で正面の扉４が開けられることを防止できる。
【００２５】
本実施の形態では、図２に示すように、可変式の支持部材７によりボックス本体１内に設置される災害時用機器Ｍａの大きさや使用頻度に合わせて棚８の位置を変えられる。よって、急いでいるときや、夜間でも必要な災害時用機器Ｍａを間違えずに取り出して使うことができる。なお、棚８は、平板だけでなく、網目状又は格子状等の板材であってもよい。
【００２６】
災害時用収納ボックスに収納される災害時用機器Ｍａとしては、図３に示すように、（ａ）蓄電池、（ｂ）太陽光パネル、（ｃ）懐中電灯（ＬＥＤ）、（ｄ）ＬＥＤ電灯、（ｅ）携帯充電ケーブル、（ｆ）ＵＳＢハブなどなどが挙げられ、さらに、他にもＬＥＤ投光器や電源タップなどが挙げられる。
【００２７】
（ａ）蓄電池としては、（ｂ）太陽光パネルで充電可能な１，０６７Ｗｈのリチウムイオン蓄電池を用いることができる。例えば、３２０Ｗｈ（１６０Ｗｈ×２台）の（ｂ）太陽光パネルで３．５〜４．０時間でフル充電が可能な（ａ）蓄電池を用いると、５Ｗｈのスマートフォンを一度に６０台、合計で１９０台、１０Ｗｈのタブレットが合計で９５台、２０Ｗのノートパソコンが合計で４７台充電することができる。そして、８０Ｗｈの４０型ＴＶを約１２時間視聴できる。
【００２８】
図１の例では、人目に付きやすいように外観が目立つ色彩の（ａ）蓄電池を正面の扉４下部にある透明な窓６部分に収納し、外部から内容物を視認しやすく、緊急時に明かりが点灯すると、足元を照らし、誘導灯の役目を担うようにしてある。
【００２９】
図３の蓄電池以外の災害時用機器Ｍａは、図２の収納スペースを可変式の支持部材７を用いて棚８で適宜なスペースに移動して収納することができる。
【００３０】
災害時用機器収納ボックスのボックス本体１には、人目に付きやすい位置にボックス本体１の大きさおよび形状に応じた表示部５が設けられている。この表示部５には、停電時用又は非常時用であることをピクトグラムを用いて目立つ大きさや色彩で表示しておく。一例として、図１には、非常時用の電源ボックスであることを示すべく、「防災非常用電源」と赤を背面として白抜きの字で大きく表示してある。また、図１には、（ａ）蓄電池、（ｂ）太陽光パネル、（ｃ）懐中電灯（ＬＥＤ）、（ｄ）ＬＥＤ電灯、（ｅ）携帯充電ケーブル、（ｆ）ＵＳＢハブなどがピクトグラムで表示されており内部に保管されていることが分かるようにしてある。
【００３１】
以上の構成を有することから、本考案の災害時用機器収納ボックスによれば、以下の効果を得ることができる。
【００３２】
請求項１の本考案に係る災害時用機器用の収納ボックスのボックス本体１は、縦長であるので建物の廊下、エントランスホール等に設置してしても邪魔になりにくい。よって、医療機関、公共施設、マンションやビル等、多くの人々が集まる施設や建物などに設置することができる。
【００３３】
また、正面の扉４が一か所で、棚８を支える支持部材７が可変式なので、前記ボックス本体１内に設置される災害時用機器Ｍａの大きさや使用頻度に合わせて棚の位置を変えられるので、急いでいたり、夜間でも必要な機器を間違えずに取り出して使うことができる。
【００３４】
平時には扉を閉じておくが、災害により停電したときは、扉が自動開錠し、内部のライト点灯によりボックス本体１内部全体が明るくなるので、ボックス本体１内に保管されている必要な災害時用機器Ｍａを簡単に見つけることができる。また、扉が一つなので、見つけた機器をいち早く取り出して使用することができる。
【００３５】
そして、災害時用機器収納ボックスのボックス本体１を人目に付きやすい場所に設置し、必要な表示部５を設けることで利用者の便を図ることができる。
【００３６】
また、災害時用機器収納ボックスのボックス本体１を人目につきやすい窓際などに設置すると日射の影響により内部の温度が高くなったり、盗難やいたずら防止のために隅などの熱が籠っている場所に設置すると、通行の邪魔にはなりにくいが、周辺の熱によりボックス本体１内部温度が高くなる。そして、ボックス本体１の内部温度が高くなると、内部に保管されている災害時用機器Ｍａの誤作動や故障の原因となり緊急時に使えなくなることがある。本考案の災害時用機器収納ボックスのボックス本体１は縦長で、背面壁体の上下に空気穴９、１０が設けられている。通常、縦長のボックス本体１内の空気が外気より高温になると、高温の空気は低温の空気より密度が低いためボックス本体１内の空気に浮力が生じる。そして、ボックス本体１下部に設けた空気穴９から外部の冷たい空気をボックス本体１内に取り入れながら暖かい空気が上昇する煙突現象が起こる。そして、ボックス本体１内を上昇した暖かい空気は、上部に設けた空気穴１０から外部に放出されボックス本体１内温度が低下する。ボックス本体１内温度の低下により、内部に保管されている災害時用機器Ｍａの熱による誤作動や故障を防止することができる。また、ボックス本体１内に設置した棚により空気の流れを阻害させないようにボックス内壁との間を開け、煙突効果を起こりやすいようにする。
【００３７】
本考案に係る災害時用機器収納ボックスのボックス本体１は、ボックス内を外部から目視できる透明な窓６が縦長の扉４の下部に設けられている。透明な窓が縦長の扉の上部に設けられていると、停電時に内部のライトが自動点灯しても災害時用機器用の収納ボックスのボックス本体１の位置はわかるが、足元が暗く分かりずらいので、ボックス本体１まで簡単にたどり着くことができない。しかし、本考案の災害時用機器収納ボックスのボックス本体１に設ける透明な窓６が縦長の扉の下部にあると、透明な窓６から照射される明かりで足元も明るくなり、誘導灯の役目も果たすのでボックス本体１まで簡単にたどり着くことができ、必要な機器をいち早く取り出し使うことができる。
【００３８】
本考案に係る災害時用機器用の収納ボックスのボックス本体１は、扉を開けると警報音を発することで盗難防止となるようにできる。
【００３９】
本考案に係る災害時用機器用の収納ボックスのボックス本体１は、スタンド部１１を本体の底部に固定させて取り付けることで、地震の際にも転倒しにくくすることができる。
【００４０】
図１の災害時用機器用の収納ボックスは、医療機関、公共施設、マンション、ビル等の多くの人々が集まる施設や建物の廊下やエントランスホール等に設置しておくことで、大規模災害等により長時間又は長期間に及ぶ停電時に、災害時用機器収納ボックのスボックス本体１内に収納されている災害時用機器Ｍａを取り出して使用することができる。
【００４１】
（ａ）蓄電池は、予めフル充填したものを災害時用機器収納ボックスのボックス本体１内に収納しておくか或いは建物の電源で常に充電しておけば、非常時にすぐに電源として使用できる。また、災害時に（ａ）蓄電池の電力が尽きたら、（ｂ）太陽光パネルを用いて屋外で（ａ）蓄電池の充電を行い（ａ）蓄電池を長期間に亘って使用することができる。
【符号の説明】
【００４２】
１      ボックス本体
２      箱本体
３      収納スペース
４      扉
５      表示部
６      窓
７      支持部材
８      棚
９      空気穴
１０    空気穴
１１    スタンド部
Ｍａ    災害時用機器
【図１】
0003230365.tif 000003
【図２】
0003230365.tif 000004
【図３】
0003230365.tif 000005
【図４】
0003230365.tif 000006
【手続補正書】
【提出日】令和2年11月12日(2020.11.12)
【手続補正１】
【補正対象書類名】実用新案登録請求の範囲
【補正対象項目名】全文
【補正方法】変更
【補正の内容】
【実用新案登録請求の範囲】
【請求項１】
災害時用機器を収納する縦長のボックス本体（１）を有する災害時用機器収納ボックスであって、
前記ボックス本体（１）の正面開口部に縦長の扉（４）と、
前記ボックス本体（１）の背面壁体の上段と下段に空気穴（９）、（１０）と、
前記ボックス本体（１）に設置される災害時用機器を支持する可変式の支持部材（７）と棚（８）と、
前記ボックス本体（１）ならびに前記扉（４）に収納する機器を表示する表示部（５）と、
が設けられたことを特徴とする災害時用機器収納ボックス。
【請求項２】
停電時に前記扉（４）が自動開錠する錠と、自動点灯する内部のライトとを有する請求項１に記載の災害時用機器収納ボックス。
【請求項３】
前記ボックス本体（１）内部を外部から目視できる透明な窓（６）が前記扉（４）の下部に設けられており、
停電時に前記内部のライトが自動点灯したときに前記透明な窓（６）から照射される明かりが足元を照らし、誘導灯の役目を果たす請求項２に記載の災害時用機器収納ボックス。
【請求項４】
前記扉（４）を開けると警報音を発することで盗難防止となる警報音装置を有する請求項１〜３のいずれか一項に記載の災害時用機器収納ボックス。
【請求項５】
自立式となる転倒防止型の、スタンド部（１１）を下部に備える請求項１〜４のいずれか一項に記載の災害時用機器収納ボックス。